(57)【要約】  【構成】  ポートＰ１から入力される複数画素の画素データは、Ｒ，ＧおよびＢのいずれか１つの色情報を有する。第１色分離回路２６は、かかる画素データに第１係数に従う色分離処理を施し、第２色分離回路２８は、かかる画素データに第２係数に従う色分離処理を施す。第１色分離回路２６および第２色分離回路２８からは、各々がＲ，ＧおよびＢの全ての色情報を有する第１色分離画素データおよび第２色分離画素データがそれぞれ出力される。減算回路３４は、第１色分離画素データおよび第２色分離画素データの差分が反映された輪郭強調データを作成する。前処理回路３８から出力された輝度データは、輪郭強調回路５２で輪郭強調データに従う輪郭強調を施される。  【効果】  高品位の輪郭強調が実現される。【選択図】  図１
2005203891.tif 000002
【特許請求の範囲】
【請求項１】
各々が複数色のいずれか１つの色成分を有する複数の画素信号を入力する入力手段、
前記複数の画素信号に第１係数に従う色分離処理を施して各々が前記複数色の色成分を有する複数の第１色分離画素信号を出力する第１色分離手段、
前記複数の画素信号に第２係数に従う色分離処理を施して各々が前記複数色の色成分を有する複数の第２色分離画素信号を出力する第２色分離手段、
前記複数の第１色分離画素信号と前記複数の第２色分離画素信号との差分が反映された輪郭強調信号を作成する第１作成手段、および
前記複数の画素信号に基づく画像信号に前記輪郭強調信号に従う輪郭強調を施す輪郭強調手段を備える、信号処理回路。
【請求項２】
前記第１作成手段は、前記複数の第１色分離画素信号に所定演算を施して各々が輝度成分を有する複数の第１輝度画素信号を出力する第１出力手段、前記複数の第２色分離画素信号に前記所定演算を施して各々が輝度成分を有する複数の第２輝度画素信号を出力する第２出力手段、および前記複数の第１輝度画素信号から前記複数の第２輝度画素信号をそれぞれ減算する減算手段を含む、請求項１記載の信号処理回路。
【請求項３】
前記第１色分離手段および前記第２色分離手段からそれぞれ出力されたかつ注目画素に対応する第１色分離画素信号および第２色分離画素信号を混合する混合手段、および
前記混合手段から出力された複数の混合画素信号に基づいて前記画像信号を作成する第２作成手段をさらに備える、請求項１または２記載の信号処理回路。
【請求項４】
前記混合手段は前記複数色の色成分にそれぞれ対応する複数の混合係数に従って色成分毎に前記第１色分離画素信号および第２色分離画素信号を混合する、請求項３記載の信号処理回路。
【請求項５】
前記注目画素の周辺における前記複数色の色成分の各々のばらつきを判別する判別手段、および
前記判別手段の判別結果に基づいて前記複数の混合係数の各々を調整する調整手段をさらに備える、請求項４記載の信号処理回路。
【請求項６】
前記第１色分離画素信号は前記第２色分離画素信号よりも高域の周波数成分を有し、
前記調整手段は前記ばらつきが大きいほど前記第１色分離画素信号を重視する、請求項５記載の信号処理回路。
【請求項７】
前記複数の画素信号は被写界を撮影する撮影手段から出力された画素信号である、請求項１ないし６のいずれかに記載の信号処理回路。
【請求項８】
請求項１ないし７のいずれかに記載の信号処理回路を備える、電子カメラ。
【発明の詳細な説明】
【技術分野】
【０００１】
この発明は、信号処理回路に関し、特にたとえば電子カメラに適用され、撮像装置から出力された画像信号に輪郭強調を施す、信号処理回路に関する。
【背景技術】
【０００２】
従来のこの種の信号処理回路の一例が、特許文献１に開示されている。この従来技術によれば、固体撮像デバイスから撮像信号が出力されると、この撮像信号は信号処理回路によって色分離や輝度信号の合成などの処理を施される。信号処理回路から出力された画像信号はフィールドメモリを介して輪郭強調回路に与えられ、高域成分が強調される。
【０００３】
垂直方向における輪郭強調は、２Ｈ期間〜３Ｈ期間にわたって遅延された画像信号とかかる遅延処理を施されていない画像信号との差信号によって実現される。水平方向における輪郭強調は、特定周波数帯域の信号の増幅率を大きくするアパーチャ回路によって実現される。
【特許文献１】特開平３−２８３９７８号公報［Ｈ０４Ｎ ５／２２５，５／２３２，５／２３５，９／０４］
【発明の開示】
【発明が解決しようとする課題】
【０００４】
しかし、従来技術の輪郭強調は信号処理済みの画像信号に基づくため、輪郭強調処理の品位の向上に限界があった。
【０００５】
それゆえに、この発明の主たる目的は、高品位の輪郭強調を実現できる、信号処理回路を提供することである。
【課題を解決するための手段】
【０００６】
請求項１の発明に従う信号処理回路は、各々が複数色のいずれか１つの色成分を有する複数の画素信号を入力する入力手段、複数の画素信号に第１係数に従う色分離処理を施して各々が複数色の色成分を有する複数の第１色分離画素信号を出力する第１色分離手段、複数の画素信号に第２係数に従う色分離処理を施して各々が複数色の色成分を有する複数の第２色分離画素信号を出力する第２色分離手段、複数の第１色分離画素信号と複数の第２色分離画素信号との差分が反映された輪郭強調信号を作成する作成手段、および複数の画素信号に基づく画像信号に輪郭強調信号に従う輪郭強調を施す輪郭強調手段を備える。
【０００７】
入力手段によって入力される複数の画素信号の各々は、複数色のいずれか１つの色成分を有する。第１色分離手段は、かかる複数の画素信号に第１係数に従う色分離処理を施し、第２色分離手段は、かかる複数の画素信号に第２係数に従う色分離処理を施す。第１色分離手段からは、各々が複数色の色成分を有する複数の第１色分離画素信号が出力され、第２色分離手段からは、各々が複数色の色成分を有する複数の第２色分離画素信号が出力される。
【０００８】
作成手段は、複数の第１色分離画素信号と複数の第２色分離画素信号との差分が反映された輪郭強調信号を作成する。複数の画素信号に基づく画像信号は輪郭強調手段に与えられ、作成手段によって作成された輪郭強調信号に従う輪郭強調を施される。
【０００９】
第１色分離手段および第２色分離手段はいずれも、入力手段によって入力された画素信号に色分離を施す。ただし、色分離に用いられる係数は第１色分離手段と第２色分離手段とで異なり、これによって第１色分離画素信号および第２色分離画素信号は互いに異なる周波数特性を有する。輪郭強調信号には、かかる第１色分離画素信号および第２色分離画素信号の差分が反映される。この結果、高品位の輪郭強調が実現される。
【００１０】
請求項２の発明に従う信号処理回路は、請求項１に従属し、第１作成手段は、複数の第１色分離画素信号に所定演算を施して複数の第１輝度画素信号を出力する第１出力手段、複数の第２色分離画素信号に所定演算を施して複数の第２輝度画素信号を出力する第２出力手段、および複数の第１輝度画素信号から複数の第２輝度画素信号をそれぞれ減算する減算手段を含む。
【００１１】
第１輝度画素信号および第２輝度画素信号は同じ演算によって求められるため、第１色分離画素信号および第２色分離画素信号の周波数特性の相違は、第１輝度画素信号および第２輝度画素信号にも反映される。したがって、第１輝度画素信号から第２輝度画素信号を減算すれば、輪郭強調信号が求められる。
【００１２】
請求項３の発明に従う信号処理回路は、請求項１または２に従属し、第１色分離手段および第２色分離手段からそれぞれ出力されたかつ注目画素に対応する第１色分離画素信号および第２色分離画素信号を混合する混合手段、および混合手段から出力された複数の混合画素信号に基づいて画像信号を作成する第２作成手段をさらに備える。
【００１３】
互いに周波数特性の異なる第１色分離画素信号および第２色分離画素信号を混合し、これによって得られた混合画素信号に基づいて画像信号を作成することで、画像信号の品質を向上させることができる。
【００１４】
請求項４の発明に従う信号処理回路は、請求項３に従属し、混合手段は複数色の色成分にそれぞれ対応する複数の混合係数に従って色成分毎に第１色分離画素信号および第２色分離画素信号を混合する。
【００１５】
つまり、第１色分離画素信号および第２色分離画素信号は、色成分毎に準備された混合係数に従って、色成分毎に混合される。こうして得られた混合画素信号に基づく画像信号は、色の解像度を損なうことなく色ノイズが低減された画像信号となる。
【００１６】
請求項５の発明に従う信号処理回路は、請求項４に従属し、注目画素の周辺における複数色の色成分の各々のばらつきを判別する判別手段、および判別手段の判別結果に基づいて複数の混合係数の各々を調整する調整手段をさらに備える。
【００１７】
各々の色成分のばらつきを考慮して混合係数を調整することで、的確な混合処理が可能となる。
【００１８】
請求項６の発明に従う信号処理回路は、請求項５に従属し、第１色分離画素信号は第２色分離画素信号よりも高域の周波数成分を有し、調整手段はばらつきが大きいほど第１色分離画素信号を重視する。
【００１９】
色成分のばらつきは、色の輪郭の周辺で大きくなる。したがって、ばらつきが大きいほど第１色分離画素信号を重視すれば、色の輪郭が強調された混合画素信号が得られる。
【００２０】
請求項７の発明に従う信号処理回路は、請求項１ないし６のいずれかに従属し、複数の画素信号は被写界を撮影する撮影手段から出力された画素信号である。
【００２１】
請求項８の発明に従う電子カメラは、請求項１ないし７のいずれかに記載の信号処理回路を備える。
【発明の効果】
【００２２】
この発明によれば、色分離に用いられる係数が第１色分離手段と第２色分離手段とで異なり、これによって第１色分離画素信号および第２色分離画素信号は互いに異なる周波数特性を示す。輪郭強調信号には、かかる第１色分離画素信号および第２色分離画素信号の差分が反映される。この結果、高品位の輪郭強調が実現される。
【００２３】
この発明の上述の目的，その他の目的，特徴および利点は、図面を参照して行う以下の実施例の詳細な説明から一層明らかとなろう。
【発明を実施するための最良の形態】
【００２４】
図１を参照して、この実施例のディジタルカメラ（電子カメラ）１０は、被写界を撮影するイメージセンサ１４を含む。イメージセンサ１４の撮像面は、図２に示すようにＲ（Red）のフィルタ要素，Ｇ（Green）のフィルタ要素およびＢ（Blue）のフィルタ要素がモザイク状に配置された原色フィルタ１２によって覆われる。撮像面を形成する複数の受光素子は、原色フィルタ１２を形成する複数のフィルタ要素と１対１で対応する。したがって、各々の受光素子で光電変換によって生成される電荷つまり画素信号は、Ｒ，ＧおよびＢのいずれか１つの色情報（色成分）を有することとなる。
【００２５】
電源が投入されると、ＣＰＵ２０は、被写界のリアルタイム動画像（スルー画像）をＬＣＤモニタ６０から出力するべく、プリ露光および垂直間引き読み出しの繰り返しをＴＧ（Timing Generator）１８に命令する。ＴＧ１８は、１／３０秒に１回の割合で発生する垂直同期信号に応答して、イメージセンサ１４にプリ露光および垂直間引き読み出しを施す。イメージセンサ１４からは、垂直方向の解像度が低減された生画像信号がラスタ走査態様で読み出される。読み出される低解像度の生画像信号は、色情報がＲ，Ｇ，Ｒ，Ｇ，…の順で変化する奇数ラインと、色情報がＧ，Ｂ，Ｇ，Ｂ，…の順で変化する偶数ラインとを含む。読み出された生画像信号は、ＣＤＳ／ＡＧＣ／ＡＤ回路１６で相関２重サンプリング，自動利得調整およびＡ／Ｄ変換の一連の処理を施され、これによってディジタル信号である生画像データが生成される。
【００２６】
なお、イメージセンサ１２，ＴＧ１８およびＣＤＳ／ＡＧＣ／ＡＤ回路１６によって撮像装置が形成される。また、生画像データを形成する画素データのうち、Ｒの色情報を有する画素データを“Ｒｒａｗデータ”と定義し、Ｇの色情報を有する画素データを“Ｇｒａｗデータ”と定義し、そしてＢの色情報を有する画素データを“Ｂｒａｗデータ”と定義する。
【００２７】
ＣＤＳ／ＡＧＣ／ＡＤ回路１６から出力された生画像データは、ポートＰ１からＡＳＩＣ２４に入力され、第１色分離回路２６および第２色分離回路２８に与えられる。図４（Ａ）に示す水平６画素×垂直６画素の画素ブロックに注目したとき、第１色分離回路２６は数１〜数３に従う演算を実行し、第２色分離回路２８は数４〜数６に従う演算を実行する。
【００２８】
【数１】
2005203891.tif 000003
【００２９】
【数２】
2005203891.tif 000004
【００３０】
【数３】
2005203891.tif 000005
【００３１】
【数４】
2005203891.tif 000006
【００３２】
【数５】
2005203891.tif 000007
【００３３】
【数６】
2005203891.tif 000008
【００３４】
なお、Ｒｒａｗ１〜Ｒｒａｗ８はそれぞれ、図４（Ａ）に示すＲ１画素〜Ｒ８画素のＲｒａｗデータである。また、Ｇｒａｗ３，Ｇｒａｗ４，Ｇｒａｗ７〜Ｇｒａｗ１０，Ｇｒａｗ１３およびＧｒａｗ１４はそれぞれ、図４（Ａ）に示すＧ３画素，Ｇ４画素，Ｇ７画素〜Ｇ１０画素，Ｇ１３画素およびＧ１４画素のＧｒａｗデータである。さらに、Ｂｒａｗ１〜Ｂｒａｗ８はそれぞれ、図４（Ａ）に示すＢ１画素〜Ｂ８画素のＢｒａｗデータである。
【００３５】
数１，数２および数３によってそれぞれ求められたＲｓｅｐ１データ，Ｇｓｅｐ１データおよびＢｓｅｐ１データは、図４（Ｂ）に黒丸で示す位置（注目画素）の画素データ（第１色分離画素データ）である。また、数４，数５および数６によってそれぞれ求められたＲｓｅｐ２データ，Ｇｓｅｐ２データおよびＢｓｅｐ２データは、図４（Ｃ）に黒丸で示す位置（注目画素）の画素データ（第２色分離画素データ）である。
【００３６】
つまり、第１色分離回路２６は図４（Ｂ）に示す係数を用いて色分離のための演算を実行し、第２色分離回路２８は図４（Ｃ）に示す係数を用いて色分離のための演算を実行する。この結果、Ｒｓｅｐ１データ，Ｇｓｅｐ１データおよびＢｓｅｐ１データはそれぞれ、Ｒｓｅｐ２データ，Ｇｓｅｐ２データおよびＢｓｅｐ２データと比べて高域の周波数成分を含むこととなる。
【００３７】
たとえば、水平方向に連続する１７画素のＲｒａｗデータ，ＧｒａｗデータおよびＢｒａｗデータが図６に示す要領で変化した場合、Ｒｓｅｐ１データおよびＲｓｅｐ２データは水平方向において図７に示す要領で変化し、Ｇｓｅｐ１データおよびＧｓｅｐ２データは水平方向において図８に示す要領で変化し、そしてＢｓｅｐ１データおよびＢｓｅｐ２データは水平方向において図９に示す要領で変化する。
【００３８】
図１に戻って、第１色分離回路２６から出力されたＲｓｅｐ１データ，Ｇｓｅｐ１データおよびＢｓｅｐ１データは、輝度マトリクス演算回路３０で数７に従う演算を施される。第２色分離回路２８から出力されたＲｓｅｐ２データ，Ｇｓｅｐ２データおよびＢｓｅｐ２データは、輝度マトリクス演算回路３２で数８に従う演算を施される。
【００３９】
【数７】
2005203891.tif 000009
【００４０】
【数８】
2005203891.tif 000010
【００４１】
第１輝度マトリクス演算回路３０からはＹ１データが出力され、第２輝度マトリクス演算回路３２からはＹ２データが出力される。Ｙ１データは図４（Ｂ）に黒丸で示す位置の輝度データ（第１輝度画素データ）であり、Ｙ２データは図４（Ｃ）に黒丸で示す位置の輝度データ（第２輝度画素データ）である。
【００４２】
Ｒｓｅｐ１データ，Ｒｓｅｐ２データ，Ｇｓｅｐ１データ，Ｇｓｅｐ２データ，Ｂｓｅｐ１データおよびＢｓｅｐ２データが図７〜図９に示す要領で変化した場合、Ｙ１データおよびＹ２データは図１０に示す要領で変化する。つまり、第１色分離回路２６および第２色分離回路２８の間での係数の相違から、Ｙ１データもまたＹ２データよりも高域の周波数成分を含む。
【００４３】
減算回路３４は、かかるＹ１データおよびＹ２データに数９に従う演算を施す。減算回路３４からは、図４（Ｂ）または図４（Ｃ）に黒丸で示す位置のＥＤＧデータ（輪郭強調データ）が出力される。
【００４４】
【数９】
2005203891.tif 000011
【００４５】
Ｙ１データおよびＹ２データが図１０に示す要領で変化した場合、ＥＤＧデータは図１１に示す要領で変化する。
【００４６】
図１に戻って、ポートＰ１から入力された生画像データはまた、平均偏差算出回路４０，４４および４８に与えられる。図４（Ａ）に示す画素ブロックに注目したとき、平均偏差算出回路４０は数１０および数１１に従う演算を実行し、平均偏差算出回路４４は数１２および数１３に従う演算を実行し、そして平均偏差算出回路４８は数１４および数１５に従う演算を実行する。
【００４７】
【数１０】
2005203891.tif 000012
【００４８】
【数１１】
2005203891.tif 000013
【００４９】
【数１２】
2005203891.tif 000014
【００５０】
【数１３】
2005203891.tif 000015
【００５１】
【数１４】
2005203891.tif 000016
【００５２】
【数１５】
2005203891.tif 000017
【００５３】
なお、数１０，数１２および数１４の演算は平均値算出回路４０ａ，４４ａおよび４８ａでそれぞれ実行され、数１１，数１３および数１５の演算は偏差値算出回路４０ｂ，４４ｂおよび４８ｂでそれぞれ実行される。
【００５４】
平均偏差算出回路４０によって求められる平均偏差値Ｒｍｄは、図４（Ａ）に示す画素ブロックに属するＲｒａｗデータのばらつき（ぶれ）の程度を示す。また、平均偏差算出回路４４によって求められる平均偏差値Ｇｍｄは、図４（Ａ）に示す画素ブロックに属するＧｒａｗデータのばらつきの程度を示す。さらに、平均偏差算出回路４８によって求められる平均偏差値Ｂｍｄは、図４（Ａ）に示す画素ブロックに属するＢｒａｗデータのばらつきの程度を示す。
【００５５】
係数決定回路４２は平均偏差値Ｒｍｄに基づいて係数Ｋｒを決定し、係数決定回路４６は平均偏差値Ｇｍｄに基づいて係数Ｋｇを決定し、そして係数決定回路５０は平均偏差値Ｂｍｄに基づいて係数Ｋｂを決定する。具体的には、図５に示すグラフに従って、平均偏差値Ｒｍｄ，ＧｍｄおよびＢｍｄにそれぞれ対応する係数Ｋｒ，ＫｇおよびＫｂが決定される。図５によれば、係数Ｋｒ，ＫｇおよびＫｂはそれぞれ、平均偏差値Ｒｍｄ，ＧｍｄおよびＢｍｄの上昇に伴って減少する。平均偏差値Ｒｍｄ，ＧｍｄおよびＢｍｄが閾値ＴＨを下回るときの傾きは“ＳＬＰ１”であり、平均偏差値Ｒｍｄ，ＧｍｄおよびＢｍｄが閾値ＴＨを上回るときの傾きは“ＳＬＰ２”である。
【００５６】
混合回路３６は、第１色分離回路２６から出力されたＲｓｅｐ１データ，Ｇｓｅｐ１データおよびＢｓｅｐ１データと第２色分離回路２８から出力されたＲｓｅｐ２データ，Ｇｓｅｐ２データおよびＢｓｅｐ２データとに、係数Ｋｒ，ＫｇおよびＫｂに従う加重加算をそれぞれ施す。
【００５７】
図３を参照して、混合回路３６は、掛け算器３６ａ〜３６ｆと加算器３６ｇ〜３６ｉとを含む。掛け算器３６ａはＲｓｅｐ１データに係数“１−Ｋｒ”を掛け算し、掛け算器３６ｂはＲｓｅｐ２データに係数Ｋｒを掛け算する。掛け算器３６ａおよび３６ｂの出力は加算器３６ｇによって互いに加算され、これによってＲｓｅｐ３データが得られる。
【００５８】
掛け算器３６ｃはＧｓｅｐ１データに係数“１−Ｋｇ”を掛け算し、掛け算器３６ｄはＧｓｅｐ２データに係数Ｋｇを掛け算する。掛け算器３６ｃおよび３６ｄの出力は加算器３６ｈによって互いに加算され、これによってＧｓｅｐ３データが得られる。
【００５９】
掛け算器３６ｅはＢｓｅｐ１データに係数“１−Ｋｂ”を掛け算し、掛け算器３６ｆはＢｓｅｐ２データに係数Ｋｂを掛け算する。掛け算器３６ｅおよび３６ｆの出力は加算器３６ｉによって互いに加算され、これによってＢｓｅｐ３データが得られる。
【００６０】
Ｒｓｅｐ３データはＲの色情報を有する混合画素データであり、Ｇｓｅｐ３データはＧの色情報を有する混合画素データであり、Ｂｓｅｐ３データはＢの色情報を有する混合画素データである。
【００６１】
上述のような係数決定および加重加算が行われる結果、色のばらつきの程度が大きい部分つまり色の輪郭部分では第１色分離回路２６の出力つまり高域周波数成分が重視され、色のばらつきの程度が小さい部分つまり色の輪郭が現れていない部分では第２色分離回路２８の出力つまり低域周波数成分が重視される。これによって、色の輪郭を的確に保存することができる。また、色情報毎に用意された係数Ｋｒ，ＫｇおよびＫｂに従って加重加算を実行することで、色の解像度を損なうことなく色ノイズを低減することができる。
【００６２】
図１に戻って、前処理回路３８は、混合回路３６から出力されたＲｓｅｐ３データ，Ｇｓｅｐ３データおよびＢｓｅｐ３データに水平間引き，白バランス調整，ＹＵＶ変換などの処理を施す。前処理回路３８からは、輝度データであるＹデータと色差データであるＵデータおよびＶデータとが出力される。
【００６３】
ＵデータおよびＶデータはそのまま後処理回路５４に入力され、Ｙデータは輪郭強調回路５２を経て後処理回路５４に入力される。輪郭強調回路５２では、減算回路３４から出力されたＥＤＧデータに従ってＹデータに輪郭強調が施される。具体的には、ＥＤＧデータが所定の重み付け量でＹデータに加算される。
【００６４】
スルー画像をＬＣＤモニタ６０に表示するとき、後処理回路５４は、入力されたＹデータ，ＵデータおよびＶデータをＮＴＳＣ方式のコンポジットビデオ信号に変換する。変換されたコンポジットビデオ信号は、ポートＰ３からＬＣＤモニタ６０に与えられる。この結果、スルー画像がＬＣＤモニタ６０から出力される。
【００６５】
シャッタボタン２２が操作されると、ＣＰＵ２０は、１回の本露光と１回の全画素読み出しとをＴＧ１８に命令する。ＴＧ１８は、イメージセンサ１４に本露光を施し、これによって生成された全ての画素信号つまり高解像度の生画像信号をイメージセンサ１４からラスタ走査態様で読み出す。この生画像信号も、色情報がＲ，Ｇ，Ｒ，Ｇ，…の順で変化する奇数ラインと、色情報がＧ，Ｂ，Ｇ，Ｂ，…の順で変化する偶数ラインとを含む。
【００６６】
イメージセンサ１４から出力された生画像信号はＣＤＳ／ＡＧＣ／ＡＤ回路１６によって生画像データに変換され、変換された生画像データはポートＰ１からＡＳＩＣ２４に入力される。入力された生画像データは上述と同様の処理を施され、この結果、高解像度のＹデータ，ＵデータおよびＶデータが後処理回路５４に与えられる。シャッタボタン２２が操作されたとき、後処理回路５４は、入力されたＹＵＶデータをＪＰＥＧ方式で圧縮し、これによって生成された圧縮ＹＵＶデータをポートＰ２を介して記録処理回路５６に与える。記録処理回路５６は、与えられた圧縮ＹＵＶデータをファイル形式で記録媒体５８に記録する。
【００６７】
以上の説明から分かるように、ポートＰ１から入力される複数画素の画素データは、Ｒ，ＧおよびＢのいずれか１つの色情報を有する。第１色分離回路２６は、かかる画素データに図４（Ｂ）に示す係数に従う色分離処理を施し、第２色分離回路２８は、かかる画素データに図４（Ｃ）に示す係数従う色分離処理を施す。第１色分離回路２６および第２色分離回路２８からは、各々がＲ，ＧおよびＢの全ての色情報を有する第１色分離画素データおよび第２色分離画素データがそれぞれ出力される。減算回路３４は、第１色分離画素データおよび第２色分離画素データの差分が反映された輪郭強調データを作成する。前処理回路３８から出力された輝度データは、輪郭強調回路５２で輪郭強調データに従う輪郭強調を施される。
【００６８】
第１色分離回路２６および第２色分離回路２８はいずれも、ポートＰ１から入力された画素データに色分離を施す。ただし、色分離に用いられる係数は第１色分離回路２６と第２色分離回路２８とで異なり、第１色分離画素データおよび第２色分離画素データは互いに異なる周波数特性を有する。輪郭強調データには、かかる第１色分離画素データおよび第２色分離画素データの差分が反映される。この結果、高品位の輪郭強調が実現される。
【００６９】
また、混合回路３６は、同じ画素に対応する第１色分離画素データおよび第２色分離画素データを色情報毎に混合する。混合にあたっては、Ｒ，ＧおよびＢにそれぞれ対応する係数Ｋｒ，ＫｇおよびＫｂが用いられる。また、図４（Ａ）に示す画素ブロックに属する画素データの色情報毎のばらつきが、平均偏差算出回路４０，４４または４８で判別される。係数Ｋｒ，ＫｇおよびＫｂはそれぞれ、平均偏差算出回路４０，４４および４８の出力に基づいて係数決定回路４２，４６および５０で調整される。この結果、ばらつきが大きいほど、第１色分離画素データが重視される。
【００７０】
上述のように、第１色分離画素データおよび第２色分離画素データは互いに異なる周波数特性を示す。かかる第１色分離画素データおよび第２色分離画素データが、色情報毎に混合される。混合画素データに基づく画像データは、色の解像度を損なうことなく色ノイズが低減された画像データとなる。また、色のばらつきは、色エッジの周辺で大きくなる。したがって、ばらつきが大きいほど第１色分離画素データを重視することで、色エッジが保存された混合画素データが得られる。
【００７１】
なお、この実施例では数９に従ってＥＤＧデータを求めるようにしているが、数９の代わりに数１６に従ってＥＤＧデータを求めるようにしてもよい。
【００７２】
【数１６】
2005203891.tif 000018
【図面の簡単な説明】
【００７３】
【図１】この発明の一実施例を示すブロック図である。
【図２】図１実施例に適用される色フィルタの一例を示す図解図である。
【図３】図１実施例に適用される混合回路の一例を示すブロック図である。
【図４】（Ａ）は色フィルタ上の色要素の割り当て状態を示す図解図であり、（Ｂ）は第１色分離回路で使用される係数の割り当て状態を示す図解図であり、（Ｃ）は第２色分離回路で使用される係数の割り当て状態を示す図解図である。
【図５】平均偏差値Ｒｍｄ，ＧｍｄまたはＢｍｄに対する係数Ｋｒ，ＫｇまたはＫｂの変化を示すグラフである。
【図６】Ｒｒａｗデータ，ＧｒａｗデータおよびＢｒａｗデータの変化の一例を示すグラフである。
【図７】Ｒｓｅｐ１データおよびＲｓｅｐ２データの変化の一例を示すグラフである。
【図８】Ｇｓｅｐ１データおよびＧｓｅｐ２データの変化の一例を示すグラフである。
【図９】Ｂｓｅｐ１データおよびＢｓｅｐ２データの変化の一例を示すグラフである。
【図１０】Ｙ１データおよびＹ２データの変化の一例を示すグラフである。
【図１１】ＥＤＧデータの変化の一例を示すグラフである。
【符号の説明】
【００７４】
１０  …電子カメラ
１２  …原色フィルタ
１４  …イメージセンサ
２６  …第１色分離回路
２８  …第２色分離回路
３０  …第１輝度マトリクス演算回路
３２  …第２輝度マトリクス演算回路
３４  …減算回路
３６  …混合回路
４０，４４，４８  …平均偏差算出回路
４２，４６，５０  …係数決定回路
５２  …輪郭強調回路
【図１】
2005203891.tif 000019
【図２】
2005203891.tif 000020
【図３】
2005203891.tif 000021
【図４】
2005203891.tif 000022
【図５】
2005203891.tif 000023
【図６】
2005203891.tif 000024
【図７】
2005203891.tif 000025
【図８】
2005203891.tif 000026
【図９】
2005203891.tif 000027
【図１０】
2005203891.tif 000028
【図１１】
2005203891.tif 000029